(57)【要約】【課題】ひずみを除去するとともに、十分な予備駆動を実行することが可能な湿式画像形成装置を提供する。【解決手段】予備駆動時においては、現像ローラ２４等のひずみを除去するために、現像ローラ２４等を回転駆動する。現像ローラ２４に付着している液体現像剤は、クリーニング部１１７のクリーニングブレード２５により除去されて回収槽２７で回収される。予備駆動時においては、開閉部材１１８の位置を調節して、第２の搬送経路１２４を介して現像槽５に回収槽２７で回収した液体現像剤を搬出する。予備駆動時においては、クリーニングブレード２５により除去された液体現像剤が第２の搬送経路１２４を介してすぐに現像槽５に補給される。【選択図】図３
2012103643.tif 000002
【特許請求の範囲】
【請求項１】
所定濃度に現像剤を調液する調液槽と、
調液後の所定濃度の現像剤を貯留する現像剤槽と、
像担持体にトナー像を形成するために現像剤を担持する現像部材と、
前記現像部材に当接され、前記現像部材に残存した現像剤を除去するためのクリーニング部材と、
前記現像部材と接触して設けられ、前記現像剤槽に貯留される前記現像剤を前記現像部材に搬送するための搬送部材と、
前記搬送部材および前記現像部材の少なくとも一方の回転駆動を制御する駆動部とを備え、
前記駆動部は、画像形成の際の本駆動の前に前記現像部材を予備駆動し、
前記予備駆動の際において、前記クリーニング部材により回収された現像剤を前記現像剤槽に搬送する第１の搬送経路と、
前記画像形成の際において、前記クリーニング部材により回収された現像剤を前記調液槽に搬送する第２の搬送経路とをさらに備える、湿式画像形成装置。
【請求項２】
前記クリーニング部材により除去された現像剤を回収する回収槽をさらに備え、
前記回収槽は、
前記第１の搬送経路に連結する貫通孔と、
前記貫通孔の開閉を調節するための開閉部材とを含む、請求項１記載の湿式画像形成装置。
【請求項３】
前記クリーニング部材により除去された現像剤を前記第１および第２の搬送経路の一方に切り換える電磁弁とをさらに備える、請求項１記載の湿式画像形成装置。
【請求項４】
前記第１の搬送経路は、
待機時において、前記現像剤槽に貯留される前記現像剤を退避させる退避槽と、
前記予備回転および前記画像形成の際に前記現像剤槽に現像剤を送出し、少なくとも前記待機時に前記現像剤槽に貯留される現像剤を前記退避槽に排出するポンプ部とを有する、請求項１〜３のいずれか一項に記載の湿式画像形成装置。
【発明の詳細な説明】
【技術分野】
【０００１】
本発明は、複写機、プリンタ、ファクシミリなどの電子写真方式の画像形成装置に関し、湿式の液体現像剤を用いて現像する湿式画像形成装置に関する。
【背景技術】
【０００２】
電子写真方式の画像形成装置においては、現像装置を用いて像担持体である感光体上に静電潜像がトナーにより現像される。そして、例えば、感光体上に現像された静電潜像が記録用紙に転写されて画像が形成されることになる。このような画像形成装置の転写プロセスでは、一般に静電転写方式が採用されている。
【０００３】
トナー像を被転写体である用紙に転写する場合は、感光体に対向するように配置された用紙の裏面から転写ローラ等により電圧を印加し、感光体と記録用紙との間に電界を形成してこの電界によりトナー像を記録用紙に静電吸着させている。
【０００４】
そして、その後、定着装置により加圧定着することにより転写されたトナー像を記録用紙に定着させている。
【０００５】
ところで、この湿式現像装置における現像装置においては、従来よりキャリア液中にトナーを分散させた液体現像剤を搬送ローラを介して弾性部材である現像ローラに供給し、この現像ローラによって感光体上の静電潜像を現像するものが知られている。このような現像装置において、画像形成をする時でない場合すなわち非画像形成時においては、弾性部材である現像ローラは静止した状態である。
【０００６】
この点で、画像形成する時でない場合すなわち非画像形成時においては、弾性部材である現像ローラは静止した状態である。
【０００７】
弾性部材（現像ローラ）の表面の一部が他の部材（例えば搬送ローラ）と圧接している状態が続くと、弾性部材の表面の圧接部に圧縮ひずみが発生する。圧縮ひずみが発生した部分では部材間の圧接力が低下するため、弾性部材が再び回転を開始して画像形成する際、均一な液体現像剤の受け渡しができなくなり、弾性部材の回転周期で濃度ムラ（以下、ピッチムラと表記する）が発生する問題が生じる。
【０００８】
以下に、ひずみ発生によりピッチムラが発生するメカニズムを説明する。
弾性部材の表面にひずみが生じている部分では、ひずみで凹んでいる部分に液体現像剤がより多く担持されていると考えられる。
【０００９】
一方、液体現像剤を受け渡す側の部材と現像剤を受け取る側の部材とが対向部において同方向に回転している場合、液体現像剤は部材のニップ間を通過し、部材の速度比に応じた割合でそれぞれの部材に分配される。
【００１０】
したがって、受け渡し側の部材にひずみがあり、その部分に現像剤がより多く担持されている場合、受け取り側の部材上の搬送量も増加する。
【００１１】
また、液体現像剤を受け渡す側の部材と液体現像剤を受け取る側の部材が対向部において逆方向に回転している場合、受け渡し側の部材上の液体現像剤は、部材間のニップ部を通過せず、ニップ通過前に受け取り側の部材に搬送される。しかし、受け渡し側の部材表面にひずみが生じていると、この部分で圧接力が低下している為、液体現像剤は部材のニップ間をすり抜けやすくなる。このため、受け取り側の部材上の搬送量は減少する。
【００１２】
このようなメカニズムで、弾性部材にひずみが発生していると、搬送される液体現像剤の量が増加あるいは減少する為、ひずみのある弾性部材の回転する周期で濃度ムラが発生すると考えられる。
【００１３】
したがって、画像形成の前に現像ローラ等を所定期間回転させる予備駆動を実行することによりひずみを除去することが考えられる。
【００１４】
一方で、当該予備駆動を実行する場合、現像ローラ等を空回転させると、クリーニングブレード等やローラの磨耗が生じるため液体現像剤を供給しながら予備駆動する必要があるが、液体現像剤を貯留している現像槽の備蓄量に限界があるため、予備駆動の時間が長い場合には、現像槽の液が無くなり、十分な予備駆動を実行することができない。
【００１５】
特開２００９−１５６９３５号公報では、リサイクル手段として、クリーニングブレードで回収した液を調液槽で調液した後、現像槽に戻す方式が開示されている。
【先行技術文献】
【特許文献】
【００１６】
【特許文献１】特開２００９−１５６９３５号公報
【発明の概要】
【発明が解決しようとする課題】
【００１７】
しかしながら、調液槽における調整にはある程度の時間が必要であり、リサイクル手段を用いて現像槽に液を補給することはできない。
【００１８】
本発明は、上記のような問題を解決するためになされたものであって、ひずみを除去するとともに、十分な予備駆動を実行することが可能な湿式画像形成装置を提供することを目的とする。
【課題を解決するための手段】
【００１９】
本発明のある局面に従う湿式画像形成装置は、所定濃度に現像剤を調液する調液槽と、調液後の所定濃度の現像剤を貯留する現像剤槽と、像担持体にトナー像を形成するために現像剤を担持する現像部材と、現像部材に当接され、現像部材に残存した現像剤を除去するためのクリーニング部材と、現像部材と接触して設けられ、現像剤槽に貯留される現像剤を現像部材に搬送するための搬送部材と、搬送部材および現像部材の少なくとも一方の回転駆動を制御する駆動部とを備える。駆動部は、画像形成の際の本駆動の前に現像部材を予備駆動し、予備駆動の際において、クリーニング部材により回収された現像剤を現像剤槽に搬送する第１の搬送経路と、画像形成の際において、クリーニング部材により回収された現像剤を調液槽に搬送する第２の搬送経路とをさらに備える。
【００２０】
好ましくは、クリーニング部材により除去された現像剤を回収する回収槽をさらに備え、回収槽は、第１の搬送経路に連結する貫通孔と、貫通孔の開閉を調節するための開閉部材とを含む。
【００２１】
好ましくは、クリーニング部材により除去された現像剤を第１および第２の搬送経路の一方に切り換える電磁弁とをさらに備える。
【００２２】
好ましくは、第１の搬送経路は、待機時において、現像剤槽に貯留される現像剤を退避させる退避槽と、予備回転および画像形成の際に現像剤槽に現像剤を送出し、少なくとも待機時に現像剤槽に貯留される現像剤を退避槽に排出するポンプ部とを有する。
【発明の効果】
【００２３】
本発明のある局面に従う湿式画像形成装置において、駆動部は、画像形成の際の本駆動の前に現像部材および搬送部材の少なくとも一方を一定期間、予備駆動し、予備駆動の際において、クリーニング部材により回収された現像剤を現像剤槽に搬送する第１の搬送経路と、画像形成の際において、クリーニング部材により回収された現像剤を調液槽に搬送する第２の搬送経路とをさらに備える。当該構成により、予備駆動によりクリーニング部材で回収された液体現像剤は再び現像剤槽に搬送されるため、現像剤槽に貯留された現像剤が空にならず、十分な予備駆動を実行することが可能である。
【図面の簡単な説明】
【００２４】
【図１】本発明の実施の形態１に従う湿式画像形成装置の一例を示す概略構成図である。
【図２】本発明の実施の形態に従う別の湿式画像形成装置の一例を示す概略構成図である。
【図３】本発明の実施の形態１に従う現像装置の構成を説明する図である。
【図４】本発明の実施の形態に従うクリーニング部１１７の開閉部材１１８について説明する図である。
【図５】本発明の実施の形態１の変形例に従う現像装置の構成を説明する図である。
【図６】本発明の実施の形態２に従う現像装置の構成を説明する図である。
【図７】本発明の本発明の実施の形態２の変形例に従う現像装置の構成を説明する図である。
【図８】本発明の実施の形態に従う調液槽１２７の具体的構成について説明する図である。
【図９】現像装置の起動後に実行される調液槽１２７における調液処理を説明するフロー図である。
【図１０】本発明の実施の形態に従う実施例と比較例とを説明する図である。
【発明を実施するための形態】
【００２５】
以下に図面を参照しつつ、本発明の実施の形態について説明する。以下の説明においては同一の部品および構成要素には同一の符号を付してある。それらの名称および機能も同一であるものとする。
【００２６】
（実施の形態１）
図１は、本発明の実施の形態１に従う湿式画像形成装置の一例を示す概略構成図である。
【００２７】
図１を参照して、本発明の実施の形態１に従う湿式画像形成装置には、ドラム状の像担持体である感光体１が設けられ、感光体１の周辺には矢印で示す回転方向の順に現像装置の現像ローラ２４、転写ローラ１１、クリーニングブレード１２、イレーサランプ１３、帯電装置１４および露光装置１５がそれぞれ配設される。
【００２８】
感光体１の表面は、帯電装置１４により所定の表面電位に一様に帯電される。そして、その後、露光装置１５により画像情報の露光を行ない、感光体１の表面に静電潜像を形成する。次いで、感光体１上の静電潜像は、現像装置の現像ローラ２４によりトナー粒子およびキャリア液を含む液体現像剤で現像され、感光体１の表面にトナー像が形成される。このとき、トナー粒子だけでなく分散媒であるキャリア液も感光体１の表面に付着する。
【００２９】
そして、感光体１の表面に形成されたトナー像は、転写ローラ１１との対向部である転写部に運ばれる。そして、転写部では、被転写体１０が矢印の方向（方向ｄ）に搬送され、転写ローラ１１に印加されたトナー粒子と逆極性の電圧の力により感光体１上のトナー粒子は被転写体１０に転写される。そして、トナー粒子が転写された被転写体１０は、図示しない定着部に搬送されトナー像が定着される。
【００３０】
一方、転写部を通過した後の感光体１上には、クリーニングブレード１２が設けられており、感光体１上に残留した転写残トナー粒子および分散媒を回収する。トナー粒子と分散媒とが回収された感光体１はイレーサランプ１３により露光され、潜像電位がキャンセルされる。これらの工程を繰り返し行なうことにより、次々に画像が印字される。
【００３１】
ここで、液体現像剤は、キャリア液である絶縁性液体と、静電潜像を現像するトナー粒子と、トナー粒子を分散させる分散剤とを主要成分としている。
【００３２】
キャリア液としては、一般に電子写真用液体現像剤に用いるものであれば特に制限することなく使用することができるが、中でも不揮発性の液体は好ましい。不揮発性液体としてはたとえば、シリコンオイル、ミネラルオイル、パラフィンオイル、鉱物油等を挙げることができる。
【００３３】
トナー粒子としては、一般に電子写真用液体現像剤に用いるものであれば、特に制限することなく使用することができる。トナー用結着樹脂としては、たとえばポリスチレン樹脂、スチレンアクリル樹脂、アクリル樹脂、ポリエステル樹脂、エポキシ樹脂、ポリアミド樹脂、ポリイミド樹脂、ポリウレタン樹脂等の熱可塑性樹脂を用いることができる。またこれらの樹脂を複数、混合して用いることも可能である。また、トナーの着色に用いられる顔料および染料も一般に市販されているものを用いることができる。たとえば、顔料としては、カーボンブラック、ベンガラ、酸化チタン、シリカ、フタロシアニンブルー、フタロシアニングリーン、スカイブルー、ベンジジンイエロー、レーキレッドＤ等を用いることができる。染料としてはソルベントレッド２７やアシッドブルー９等を用いることができる。
【００３４】
液体現像剤の調製方法としては、一般に用いられる技法に基づいて調製することができる。たとえば、結着剤樹脂と顔料とを所定の配合比で、加圧ニーダ、ローラミルなどを用いて溶融混練して均一に分散させ、得られた分散体をたとえばジェットミルによって微粉砕する。得られた微粉末をたとえば風力分級機などにより分級することで、所望の粒径の着色トナーを得ることができる。そして、得られたトナー粒子をキャリア液としての絶縁性液体と所定の配合比で混合する。この混合物をボールミル等の分散手段により均一に分散させ、液体現像剤を得ることができる。
【００３５】
なお、本例においては、ポリエステル樹脂を１００部、銅フタロシアニン１５部をヘンシェルミキサーで十分混合した後、ロール内加熱温度１００℃の同方向回転二軸押出し機を用い溶融混練を行い、得られた混合物を冷却、粗粉砕して粗粉砕トナーを得た。また、ＩＰＳ２０２８（出光興産社製）７５部、粗粉砕トナーを２５部、分散剤としてＶ２１６（ＩＰＳ社製）を０．８部混合し、サンドミルにより４日間湿式粉砕し、湿式現像剤を得た。なお、その時の粒径は２．０μｍであった。粒径はレーザ回折式粒度分布測定装置（ＳＡＬＤ−２２００（島津製作所社製））にて測定した。
【００３６】
次に、現像装置の構成について詳細については後述するが、概略について簡単に説明する。
【００３７】
現像装置には、感光体１と加圧接触される現像ローラ２４と、トナーおよびキャリア液を含む液体現像剤６を貯蔵した現像槽５と、現像槽５に一部が浸漬され、液体現像剤を汲み上げる汲み上げローラ２２と、汲み上げローラ２２により汲み上げられた液体現像剤の厚みを規制して計量する規制部材２３と、汲み上げローラ２２により汲み上げられた液体現像剤を現像ローラ２４に供給する供給ローラ２１とを含む。
【００３８】
互いに隣接している汲み上げローラ２２と供給ローラ２１とは接触領域において同一方向に回転するものとする。また、汲み上げローラ２２は、供給ローラ２１に従動して回転するものとする。本例においては、汲み上げローラ２２は回転方向ｆの方向に回転する場合が示されている。また、供給ローラ２１は、回転方向ｅの方向に回転する場合が示されている。
【００３９】
また、互いに隣接している供給ローラ２１と現像ローラ２４とは接触領域において互いに反対方向に回転するものとする。反対方向とすることにより供給ローラ２１から現像ローラ２４への液体現像剤を効率的に供給することが可能となる。また、現像ローラ２４の薄層を均一にすることが可能である。画像形成時において、本例においては、供給ローラ２１は、回転方向ｅの方向に回転し、現像ローラ２４は、回転方向ｂの方向に回転する場合が示されている。
【００４０】
なお、本例においては、後述するが、供給ローラ２１と現像ローラ２４とにそれぞれを回転させるための駆動機構（駆動部）が設けられており、汲み上げローラ２２には回転させるための駆動機構は設けられていないものとする。
【００４１】
なお、汲み上げローラ２２には表面に凹部を設けた金属ローラ（アニロックスローラ）を用いることで液体現像剤の量を正確に規制するようにしても良い。
【００４２】
現像ローラ２４の周辺には帯電装置２６が設けられるとともに、クリーニングブレード２５が設けられる。そして、現像ローラ２４には、上述したように所定量の液体現像剤が供給され、帯電装置２６により現像ローラ２４上の液体現像剤中に含まれるトナーに電荷が与えられる。その後、現像ローラ２４により感光体１に搬送された荷電されたトナーは感光体１上において画像部を現像する。なお、感光体１は、本例においては、回転方向ａの方向に回転する場合が示されている。
【００４３】
各ローラ等は、円柱状であり、本例では、その断面部分が示されている。
なお、クリーニングブレード２５は、ゴム体であっても剛体であっても良い。ゴム体は、ウレタンゴムや、ＮＢＲゴム、フッ素ゴムなどが挙げられる。剛体の場合には、ポリプロピレン、ＡＢＳ、ポリカーボネート等の樹脂類や、アルミ、アルマイト、ＳＵＳ、真鍮などの金属類が挙げられる。
【００４４】
上記図１の構成は、単色（例えば黒色）の画像形成が可能な湿式画像形成装置の構成であるが、次に複数色（カラー）の画像形成が可能な湿式画像形成装置について説明する。
【００４５】
図２は、本発明の実施の形態に従う別の湿式画像形成装置の一例を示す概略構成図である。
【００４６】
図２を参照して、本発明の実施の形態１に従う湿式画像形成装置には、像担持体である中間転写ベルト１６が設けられ、中間転写ベルト１６の周辺には矢印で示す回転方向の順にイエロー用の感光体１Ｙ、マゼンタ用の感光体１Ｍ、シアン用の感光体１Ｃおよび黒用の感光体１Ｋが配設される。また、中間転写ベルト１６を挟んで感光体１と対向して転写ローラ１１Ｙ〜１１Ｋがそれぞれ設けられる。
【００４７】
また、転写ローラ１８と、クリーニングブレード１７とが配設される。
また、各感光体１に対応して、現像装置の現像ローラ２４、転写ローラ１１、クリーニングブレード１２、イレーサランプ１３、帯電装置１４および露光装置１５がそれぞれ配設される。
【００４８】
また、現像装置は、上述したように感光体１と加圧接触される現像ローラ２４と、トナーおよびキャリア液を含む液体現像剤を貯蔵した現像槽５と、現像槽５に一部が浸漬され、液体現像剤を汲み上げる汲み上げローラ２２と、汲み上げローラ２２により汲み上げられた液体現像剤の厚みを規制して計量する規制部材２３と、汲み上げローラ２２により汲み上げられた液体現像剤を現像ローラ２４に供給する供給ローラ２１とを含む。
【００４９】
ここで、記号に付記しているＹ，Ｍ，Ｃ，Ｋの記号は、イエロー用、マゼンタ用、シアン用、黒用であることをそれぞれ表している。
【００５０】
各感光体１で現像されたトナー像は、転写ローラ１１により中間転写ベルト１６に転写される。そして、中間転写ベルト１６に転写されたトナー像は、それぞれの色に重ね合わせられ、転写ローラ１８との対向部である転写部に運ばれる。そして、転写部では、被転写体１０が矢印の方向に搬送され、転写ローラ１１により中間転写ベルト１６上のトナー像が被転写体１０に転写される。そして、図示しない定着部に搬送されて、トナー像が定着される。
【００５１】
以下においては、説明を簡易にするために図１の構成を用いて説明するが、図１に限られず図２の構成についても同様に適用可能である。
【００５２】
図３は、本発明の実施の形態１に従う現像装置の構成を説明する図である。
図３を参照して、本発明の実施の形態１に従う現像装置には、現像装置を制御する制御部３８と、感光体１と加圧接触される現像ローラ２４と、トナーおよびキャリア液を含む液体現像剤６を貯蔵した現像槽５と、現像槽５に一部が浸漬され、液体現像剤を汲み上げる汲み上げローラ２２と、汲み上げローラ２２により汲み上げられた液体現像剤の厚みを規制して計量する規制部材２３と、汲み上げローラ２２により汲み上げられた液体現像剤を現像ローラ２４に供給する供給ローラ２１と、制御部３８からの指示に従って現像ローラ２４および供給ローラ２１をそれぞれ回転させるための駆動部３６と、現像ローラ２４に対して設けられ、現像ローラ２４に付着して残留した液体現像剤を回収するクリーニング部１１７と、液体現像剤を調液する調液槽１２７と、クリーニング部１１７で回収された液体現像剤を調液槽１２７に搬送する第１の搬送経路１２２と、クリーニング部１１７で回収された液体現像剤を現像槽５に搬送する第２の搬送経路１２４と、調液槽１２７から現像槽５に調液された液体現像剤を搬送する第３の搬送経路１２６とを含む。また、第１の搬送経路１２２には、ポンピング動作によりクリーニング部１１７で回収された液体現像剤を調液槽１２７に送出するポンプ１２０が設けられている。また、第３の搬送経路１２６には、ポンピング動作により調液槽１２７で調液された液体現像剤を現像槽５に送出するポンプ１２８が設けられている。
【００５３】
クリーニング部１１７は、現像ローラ２４に当接され、現像ローラ２４に付着した残留した液体現像剤を除去するためのクリーニングブレード２５と、除去した液体現像剤を回収する回収槽２７と、開閉部材１１８と、開閉部材１１８の位置を調節する調節部１１９とを含む。
【００５４】
回収槽２７は、後述するが第２の搬送経路１２４と貫通孔を介して連結されている。開閉部材１１８は、調節部１１９により移動可能に設けられており、通常位置において貫通孔を塞ぐ位置に配置されている。そして、その位置を調節することにより貫通孔を開いたり閉じたりすることが可能である。
【００５５】
本発明の実施の形態１に従う現像装置の動作について説明する。
上述したように、画像形成時においては、現像槽５に貯留された液体現像剤６は、汲み上げローラ２２により汲み上げられる。汲み上げローラ２２には、規制部材２３が設けられており、液体現像剤の量を規制して供給ローラ２１に供給する。そして、供給ローラ２１から現像ローラ２４に液体現像剤が供給される。
【００５６】
現像ローラ２４に供給された液体現像剤は、感光体１に形成された静電潜像に従って感光体１に移動し、画像を形成する。残りの液体現像剤は、クリーニング部１１７のクリーニングブレード２５により除去されて回収槽２７で回収される。
【００５７】
なお、汲み上げローラ２２から汲み上げられるため現像槽５の液体現像剤６の液量は減少するが、画像形成時においては、既に調液槽１２７における液体現像剤の濃度調整が終了しているためポンプ１２８を介するポンピング動作により必要に応じて液体現像剤が調液槽１２７から現像槽５に第３の搬送経路１２６を介して補給される。
【００５８】
当該動作が継続して実行され、回収槽２７に回収された液体現像剤については、ポンプ１２０により第１の搬送経路１２２を介して調液槽１２７に搬送される。
【００５９】
調液槽１２７においては、後述するが、回収された液体現像剤とともにコンク液等を補給することにより調液槽１２７に貯留されている液体現像剤のトナー濃度を調節する。
【００６０】
そして、調液槽１２７で調液された液体現像剤は、ポンプ１２８により第３の搬送経路１２６を介して再び、現像槽５に搬送される。当該処理により、クリーニング部１１７で除去された液体現像剤を有効にリサイクルして現像槽５に戻すことが可能となる。
【００６１】
次に、予備駆動について説明する。
予備駆動時においては、現像ローラ２４等のひずみを除去するために、現像ローラ２４等を回転駆動する。具体的には、画像形成の際と同様に、現像槽５に貯留された液体現像剤６は、汲み上げローラ２２により汲み上げられる。汲み上げローラ２２には、規制部材２３が設けられており、液体現像剤の量を規制して供給ローラ２１に供給する。そして、供給ローラ２１から現像ローラ２４に液体現像剤が供給される。
【００６２】
現像ローラ２４に供給された液体現像剤は、感光体１との間のニップ領域を通過するが感光体１には静電潜像は形成されていない。また、図示しない帯電装置により液体現像剤のトナーの帯電が行われていないため感光体１上に画像が形成されることなく、当該領域を通過する。
【００６３】
そして、現像ローラ２４に付着している液体現像剤は、クリーニング部１１７のクリーニングブレード２５により除去されて回収槽２７で回収される。なお、回収槽２７で回収された液体現像剤のトナー濃度は、上述したように静電潜像が形成されておらず電界によるトナーの移動も生じないため変化していない。
【００６４】
そして、予備駆動時においては、開閉部材１１８の位置を調節して、第２の搬送経路１２４を介して現像槽５に回収槽２７で回収した液体現像剤を搬出する。なお、本例においては、ポンプを用いず自重により液体現像剤が現像槽５に搬出される場合について示しているが、ポンプを用いるようにしても良い。
【００６５】
したがって、予備駆動時においては、クリーニングブレード２５により除去された液体現像剤が第２の搬送経路１２４を介してすぐに現像槽５に補給される。
【００６６】
当該処理により、予備駆動の際において、現像槽５から汲み上げられた液体現像剤は、クリーニング部１１７で回収されて、再び、第２の搬送経路１２４を介して現像槽５に補給されるため、予備駆動の時間が長い場合であっても、現像槽５から液体現像剤が無くなることはなく、十分な予備駆動を実行することが可能である。
【００６７】
なお、予備駆動が実行される現像装置の起動時においては、調液槽１２７における調液動作にある程度の時間が必要であり、調液槽１２７における当該調液動作の完了を待ってから画像形成が実行されるが、本発明の実施の形態１に従う予備駆動は、調液動作と並行して実行することが可能であるため早期に画像形成を開始することが可能である。
【００６８】
図４は、本発明の実施の形態に従うクリーニング部１１７の開閉部材１１８について説明する図である。
【００６９】
図４（Ａ）、（Ｂ）は、クリーニング部１１７を横から見た断面図である。
図４（Ｃ）、（Ｄ）は、クリーニング部１１７を上から見た図である。
【００７０】
図４（Ａ）の開閉部材１１８の状態が図４（Ｃ）に対応している。すなわち、通常位置において、開閉部材１１８は、現像槽５に設けられた貫通孔２８を塞ぐ位置に位置している。
【００７１】
画像形成の際は、図４（Ａ）、図４（Ｃ）の状態である。
一方、予備駆動時において、調節部１１９は、図４（Ｂ）、図４（Ｄ）に示されるように移動可能な開閉部材１１８の位置を調節する。図４（Ｄ）においては、塞がれていた貫通孔２８が開放された状態を示している。当該状態において回収槽２７で回収された液体現像剤は貫通孔２８および第２の搬送経路１２４を介して現像槽５に供給される。
【００７２】
なお、当該構成は一例であり、例えば、開閉部材１１８が回転して貫通孔２８を閉じたりあるいは開いたりするようにしても良い。
【００７３】
（変形例）
図５は、本発明の実施の形態１の変形例に従う現像装置の構成を説明する図である。
【００７４】
図５を参照して、本発明の実施の形態１の変形例に従う現像装置は、図３で説明した現像装置の構成と比較して、クリーニング部１１７をクリーニング部１１７＃に置換した点が異なる。
【００７５】
また、図３で説明した現像装置の構成と比較して、第１および第２の搬送経路１２２，１２４を第１および第２の搬送経路１２２＃，１２４＃に置換するとともに、ポンプ１２０の代わりに電磁弁１３０を設けた点が異なる。
【００７６】
その他の構成については同様であるのでその詳細な説明は繰り返さない。
クリーニング部１１７＃は、クリーニング部１１７と比較して開閉部材１１８と調節部１１９を除いた点が異なる。その他の構成について基本的に同様である。
【００７７】
クリーニング部１１７＃の貫通孔は、電磁弁１３０を介して第１の搬送経路１２２＃および第２の搬送経路１２４＃と連結している。具体的には、電磁弁１３０は、画像形成の際には、第１の搬送経路１２２＃と貫通孔とを連結させる。一方、電磁弁１３０は、予備駆動の際には、第２の搬送経路１２４＃と貫通孔とを連結させる。
【００７８】
上述したように、画像形成時において、回収槽２７に回収された液体現像剤は、電磁弁１３０により第１の搬送経路１２２＃を介して調液槽１２７に搬送される。
【００７９】
そして、調液槽１２７で調液された液体現像剤は、ポンプ１２８により第３の搬送経路１２６を介して再び、現像槽５に搬送される。当該処理により、クリーニング部１１７で除去された液体現像剤を有効にリサイクルして現像槽５に戻すことが可能となる。
【００８０】
次に、予備駆動について説明する。
上述したように、予備駆動時においては、電磁弁１３０により第２の搬送経路１２４＃を介して現像槽５に回収槽２７で回収した液体現像剤を搬出する。
【００８１】
したがって、予備駆動時において、クリーニングブレード２５により除去された液体現像剤は第２の搬送経路１２４＃を介して、すぐに現像槽５に補給される。当該処理により、予備駆動の際において、現像槽５から汲み上げられた液体現像剤は、クリーニング部１１７で回収されて、再び、第２の搬送経路１２４＃を介して現像槽５に補給されるため、予備駆動の時間が長い場合であっても、現像槽５から液体現像剤が無くなることはなく、十分な予備駆動を実行することが可能である。
【００８２】
（実施の形態２）
図６は、本発明の実施の形態２に従う現像装置の構成を説明する図である。
【００８３】
図６を参照して、本発明の実施の形態２に従う現像装置は、図３で説明した現像装置と比較して、クリーニング部１１７をクリーニング部１１７Ａに置換した点と、退避槽１４０をさらに設けた点等が異なる。
【００８４】
具体的には、クリーニング部１１７Ａにおいては、開閉部材１１８および調節部１１９は設けられず、ポンプ１３２によるポンピング動作により第２の搬送経路１２４を介して現像槽５の代わりに退避槽１４０に回収された液体現像剤が搬送される。また、ポンプ１２０によるポンピング動作により第１の搬送経路１２２を介して調液槽１２７に回収された液体現像剤が搬送される。
【００８５】
調液槽１２７で調液された液体現像剤は、ポンプ１２８によるポンピング動作により第３の搬送経路１２６を介して退避槽１４０に供給される。
【００８６】
また、現像槽５には、液体現像剤が常に貯留されているわけではなく、必要時に退避槽１４０から供給されるものとする。具体的には、ポンプ１４２によるポンピング動作により第４の搬送経路１４６を介して退避槽１４０に退避されていた液体現像剤が現像槽５に供給される。また、ポンプ１４４によるポンピング動作により第５の搬送経路１４８を介して現像槽５に貯留している液体現像剤を退避槽１４０に搬送して退避させる。
【００８７】
例えば、画像形成および予備駆動の際には、退避槽１４０から現像槽５に液体現像剤がポンプ１４２により供給されるものとする。
【００８８】
一方、待機時においては、現像槽５から退避槽１４０にポンプ１４４により液体現像剤を排出して退避させる。
【００８９】
当該構成により、定常的に汲み上げローラ２２が液体現像剤に浸漬している状態を回避して、汲み上げローラ２２に付着するトナーの固化を防止することが可能である。
【００９０】
その他の構成については図３で説明したのと同様である。
すなわち、画像形成時においては、回収槽２７に回収された液体現像剤は、ポンプ１２０により第１の搬送経路１２２を介して調液槽１２７に搬送される。
【００９１】
そして、調液槽１２７で調液された液体現像剤は、ポンプ１２８により第３の搬送経路１２６を介して、退避槽１４０に搬送され、そして、退避槽１４０から再び、現像槽５に搬送される。当該処理により、クリーニング部１１７で除去された液体現像剤を有効にリサイクルして現像槽５に戻すことが可能となる。
【００９２】
次に、予備駆動について説明する。
上述したように、予備駆動時においては、ポンプ１３２により第２の搬送経路１２４を介して退避槽１４０に回収槽２７で回収した液体現像剤を搬出する。
【００９３】
そして、退避槽１４０は、ポンプ１４２により第４の搬送経路１４６を介して現像槽５に液体現像剤を補給する。
【００９４】
したがって、予備駆動時においては、クリーニングブレード２５により除去された液体現像剤が第２の搬送経路１２４を介して退避槽１４０に搬送されて、そして、退避槽１４０から第４の搬送経路１４６を介して現像槽５に補給される。
【００９５】
当該処理により、予備駆動の際において、現像槽５から汲み上げられた液体現像剤は、クリーニング部１１７で回収されて、再び、現像槽５に補給されるため、予備駆動の時間が長い場合であっても、現像槽５から液体現像剤が無くなることはなく、十分な予備駆動を実行することが可能である。
【００９６】
（変形例）
図７は、本発明の本発明の実施の形態２の変形例に従う現像装置の構成を説明する図である。
【００９７】
図７を参照して、本発明の実施の形態２の変形例に従う現像装置は、図６で説明した現像装置の構成と比較して、現像槽５を現像槽５＃に置換した点が異なる。
【００９８】
具体的には、現像槽５＃においては、マイラ２９が設けられ、マイラ２９にポンプ１４２により退避槽１４０に退避された液体現像剤が供給される。マイラ２９に供給された液体現像剤は、規制部材２３との間で液溜りを生じさせる。規制部材２３で液体現像剤が適量に規制されて供給ローラ２１に搬送される。なお、余剰の液体現像剤は、汲み上げローラ２２から滴下して下部に設けられた現像槽５＃で回収される。現像槽５＃で回収された液体現像剤は、ポンプ１４４により退避槽１４０に搬送される。
【００９９】
すなわち、当該構成は、図６の構成と比較して、液体現像剤に浸漬した汲み上げローラ２２が液体現像剤を汲み上げる構成ではなく、マイラ２９に必要な液体現像剤が供給されて、当該液体現像剤を汲み上げローラ２２が搬送する構成であるため、汲み上げローラ２２と液体現像剤とが接触している領域が少なく、さらに汲み上げローラ２２に付着するトナーの固化を防止することが可能である。その他の構成については上記で説明した図６の構成と同様であるのでその詳細な説明は繰り返さない。
【０１００】
すなわち、画像形成時においては、回収槽２７に回収された液体現像剤は、ポンプ１２０により第１の搬送経路１２２を介して調液槽１２７に搬送される。
【０１０１】
そして、調液槽１２７で調液された液体現像剤は、ポンプ１２８により第３の搬送経路１２６を介して、退避槽１４０に搬送され、そして、退避槽１４０から再び、現像槽５＃に搬送される。当該処理により、クリーニング部１１７で除去された液体現像剤を有効にリサイクルして現像槽５＃に戻すことが可能となる。
【０１０２】
次に、予備駆動について説明する。
上述したように、予備駆動時においては、ポンプ１３２により第２の搬送経路１２４を介して退避槽１４０に回収槽２７で回収した液体現像剤を搬出する。
【０１０３】
そして、退避槽１４０は、ポンプ１４２により第４の搬送経路１４６を介して現像槽５＃に液体現像剤を補給する。
【０１０４】
したがって、予備駆動時においては、クリーニングブレード２５により除去された液体現像剤が第２の搬送経路１２４を介して退避槽１４０に搬送されて、そして、退避槽１４０から第４の搬送経路１４６を介して現像槽５＃に補給される。
【０１０５】
当該処理により、予備駆動の際において、現像槽５＃から汲み上げられた液体現像剤は、クリーニング部１１７で回収されて、再び、現像槽５＃に補給されるため、予備駆動の時間が長い場合であっても、現像槽５＃から液体現像剤が無くなることはなく、十分な予備駆動を実行することが可能である。
【０１０６】
図８は、本発明の実施の形態に従う調液槽１２７の具体的構成について説明する図である。
【０１０７】
図８を参照して、ここでは、調液槽１２７として、待機槽１５０と、検知槽１５２と、コンク液槽１５４と、キャリア液槽１６０とが設けられている場合が示されている。
【０１０８】
具体的には、クリーニング部１１７から第１の搬送経路１２２を介して搬送された、回収された調液前の液体現像剤は待機槽１５０において待機する。
【０１０９】
調液する際には、待機槽１５０から検知槽１５２に液体現像剤がポンプ１６２を介して搬送される。なお、そして、検知槽１５２において、トナー濃度の調整が行われる。
【０１１０】
具体的には、コンク液槽１５４から濃縮されたトナーがポンプ１５６を介して検知槽１５２に搬送され、キャリア液槽１６０からキャリア液がポンプ１５８を介して搬送される。そして、検知槽１５２で所定のトナー濃度の調整が行われる。
【０１１１】
検知槽１５２でトナー濃度の調整が行われた調液された液体現像剤は、上述したように、退避槽１４０あるいは現像槽５に搬送される。
【０１１２】
図９は、現像装置の起動後に実行される調液槽１２７における調液処理を説明するフロー図である。
【０１１３】
図９を参照して、まず、ブランク電流を測定する（ステップＳ２）。検知槽１５２において、攪拌ばねを１分間空回転させてブランク電流を測定する。なお、現像装置の起動時においては、検知槽１５２は空の状態であるものとする。
【０１１４】
そして、次に、モータ温度を測定する（ステップＳ４）。
次に、検知槽１５２に待機槽１５０で待機している液体現像剤を送液する（ステップＳ５）。
【０１１５】
次に、攪拌ばねで攪拌しながら液温度と電流を測定する（ステップＳ６）。
そして、次に、トナー濃度（ＴＣ比）を算出する（ステップＳ７）。
【０１１６】
そして、次にトナー濃度（ＴＣ比）が所定値に到達したかどうかを判断する（ステップＳ８）。
【０１１７】
ステップＳ８においてトナー濃度（ＴＣ比）は所定値に到達していないと判断した場合（ステップＳ８においてＮＯ）には、コンク液とキャリア液を補給する（ステップＳ１０）。
【０１１８】
そして、再び、ステップＳ６に戻り、トナー濃度（ＴＣ比）を算出してトナー濃度（ＴＣ比）が所定値に到達したかどうかを判断する。上記処理を繰り返し、トナー濃度（ＴＣ比）が所定値に到達した場合（ステップＳ８においてＹＥＳ）には調液完了として処理を終了する（エンド）。
【０１１９】
（実施例）
図６の現像装置を用いて予備駆動を実行した。
【０１２０】
起動前においては、退避槽１４０に０．５Ｌの液体現像剤が貯留していた。
図１０は、本発明の実施の形態に従う実施例と比較例とを説明する図である。
【０１２１】
図１０（Ａ）は、実施例の処理の経過時間を説明する図である。
具体的には、起動後、予備駆動を実行した。具体的には、退避槽１４０から現像槽５に液体現像剤を供給するとともに、ひずみを除去するために現像ローラ２４および供給ローラ２１を回転駆動させた。また、クリーニング部１１７から退避槽１４０に液体現像剤を供給し、退避槽１４０から現像槽５に液体現像剤を供給した。そして、５分後、予備駆動が正常に終了し、現像槽５には０．２Ｌの液体現像剤が貯留していた。そして、その後、画像形成を開始した。なお、起動直後、予備駆動とともに調液処理も並行して実行した。調液処理は７分後に完了して、調液完了後、現像槽５に補給を開始した。
【０１２２】
本実施例では、起動開始から画像形成まで５分であった。
（比較例）
図１０（Ｂ）は、比較例の処理の経過時間を説明する図である。
【０１２３】
比較例においては、上記の実施例と同様に起動後、予備駆動を実行した。なお、クリーニング部１１７から退避槽１４０に液体現像剤を供給しないようにした。４分後、現像槽５の液体現像剤が空となり予備駆動を停止した。
【０１２４】
なお、起動直後、予備駆動とともに調液処理も並行して実行した。調液処理は７分後に完了して、調液完了後、現像槽５に補給を開始した。現像槽５に補給する時間として２．５分を要した。また、現像ローラ２４に液体現像剤を供給するために０．５分を要した。
そこから、残りの１分間予備駆動を実行して、予備駆動を完了した。そして、画像形成を開始した。起動開始から画像形成までの間に１１分であった。
【０１２５】
したがって、本発明の実施の形態に従う構成の予備駆動を実行することにより、ひずみを解消することが可能であるとともに、従来構成よりも早期に画像形成を開始することが可能となる。また、調液処理が完了するまで待つ必要が無く、予備駆動完了後、すぐに画像形成を実行することができるため起動直後の画像形成の開始時間を早めることが可能である。
【０１２６】
なお、本例においては、予備駆動の時間として５分間とする場合について説明したが、特にこれに限られず、ひずみを解消可能な時間であれば他の時間とすることも可能である。また、ひずみ量に応じて当該時間を変更するようにしても良い。また、ひずみ測定装置を用いてひずみが解消されたかどうかを判断するようにしても良い。
【０１２７】
なお、本例においては、感光体１と現像ローラ２４とが接触した状態で予備駆動を実行する場合について説明したが、特にこれに限られず、現像ローラ２４が感光体１と離間する離間機構を設けて、当該離間機構の動作により現像ローラ２４と感光体１とが離間した状態で予備駆動を実行するようにしても良い。離間することにより感光体１に液体現像剤が付着することを防止して、液体現像剤が消費することを防ぐことが可能となる。
【０１２８】
なお、離間機構としては、現像ローラ２４のみが離間する場合でも良いし、現像装置全体が移動して現像ローラ２４と感光体１とが離間するような構成であってもよい。
【０１２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３０】
１，１Ｃ，１Ｋ，１Ｍ，１Ｙ  感光体、５  現像槽、６  液体現像剤、１０  被転写体、１１，１１Ｙ〜１１Ｋ，１８  転写ローラ、１２，１７，２５  クリーニングブレード、１３  イレーサランプ、１４，２６  帯電装置、１５  露光装置、１６  中間転写ベルト、２１  供給ローラ、２２  汲み上げローラ、２３  規制部材、２４  現像ローラ、２７  回収槽、２８  貫通孔、２９  マイラ、３６  駆動部、３８  制御部、１１７，１１７＃，１１７Ａ  クリーニング部、１１８  開閉部材、１１９  調節部、１２０，１２８，１３２，１４２，１４４，１５６，１５８，１６２  ポンプ、１２７  調液槽、１３０  電磁弁、１４０  退避槽、１４６  第４の搬送経路、１４８  第５の搬送経路、１５０  待機槽、１５２  検知槽、１５４  コンク液槽、１６０  キャリア液槽。
【図１】
2012103643.tif 000003
【図２】
2012103643.tif 000004
【図３】
2012103643.tif 000005
【図４】
2012103643.tif 000006
【図５】
2012103643.tif 000007
【図６】
2012103643.tif 000008
【図７】
2012103643.tif 000009
【図８】
2012103643.tif 000010
【図９】
2012103643.tif 000011
【図１０】
2012103643.tif 000012